(57)【特許請求の範囲】
【請求項１】
踏切警報機に取り付けられるスピーカーに接続されて、警報音を発生させる踏切警報音発生装置であって、
電源部、アンプ部、音源制御部、及び出力トランスを有する同一回路構成の二系統の警報音発生回路を含み、
該警報音発生回路は、起動信号が入力すると、起動毎に一方の警報音発生回路が音出力し、他方の警報音発生回路が監視動作を行うように、前記音源制御部の各々にＣＰＵと、初期設定で前記音源制御部のオンオフ動作を決定するスイッチとが設けられ、
前記出力トランスは、それぞれ、一次側を前記アンプ部の出力に接続し、二次側を一対の前記スピーカーに並列接続するとともに、前記出力トランスの一次側の入力信号を対応する前記音源制御部にフィードバックさせ、
前記二系統の警報音発生回路は、前記起動信号が入力する毎に、交互に交番して前記主系動作と前記従系動作に切り替わることを特徴とする踏切警報音発生装置。
【請求項２】
前記警報音を発生させる一方の前記警報音発生回路は、主系動作として、起動系のＣＰＵがメモリのカウント値に基づき、アンプ動作を有効にして警報音を発生させ、監視動作を行う他方の前記警報音発生回路は、従系動作として、非起動系のＣＰＵが一方の音源制御部からの警報音の発生状態を監視することを特徴とする請求項１記載の踏切警報音発生装置。
【請求項３】
電源部、アンプ部、音源制御部、及び出力トランスを有する同一回路構成の二系統の警報音発生回路を含み、前記２つの出力トランスに対して並列接続されたスピーカーを介して踏切警報音を発生させるための制御方法であって、
起動信号が入力すると、予め決められた主系と従系を選択するスイッチの作動状態に基づいて、各系統の音源制御部に設けたＣＰＵにより、起動系の警報音発生回路と非起動系の警報音発生回路を交番させ、起動毎に一方の警報音発生回路が音出力し、他方の警報音発生回路が監視動作を行う工程と、
前記ＣＰＵの制御により、一方を起動系の警報音発生回路に、他方を非起動系の警報音発生回路に選択する工程と、
非起動系のＣＰＵにより、前記二系統の各ＣＰＵ間に接続された線路を介して供給されるＬＮＫ信号による他系の異常状態信号と、前記各アンプ部から出力された前記出力トランスの一次側からのフィードバックによる警報音信号とを計測し、警報音の発生を常時チェックする工程と、
前記警報音が検知された場合、非起動系の警報音発生回路は、監視動作を続行する工程と、
前記警報音が一定以下または検知されない場合、非起動系の警報音発生回路が警報音を発生させるモードに移行し、警報音を出力する工程とを含むことを特徴とする制御方法。
【発明の詳細な説明】
【技術分野】
【０００１】
本発明は、踏切において、道路を通行する歩行者や車両運転者に対して音と光によって列車が接近していることを警告する踏切警報機に用いられる踏切警報音発生装置およびその制御方法に関する。
【背景技術】
【０００２】
踏切警報機は、一般的に車両の進行方向に対して通行車線側の路側に置かれ、線路の両側に遮断機と一対となって設置されている。この踏切警報機の警報は、警報音発生装置により、列車の接近に伴い警報音を出して周囲に知らせるもので、おもに電気式、電鐘式、電鈴式があるが、現在では、警報機上部に設置されたスピーカーを介して電子音により、列車の接近を知らせるものがほとんどであり、音量調整も自由に設定できるようになっている。
【０００３】
警報音発生装置は、従来、電源に警報音を発生させるための起動信号が入力すると、主系回路を作動させ、主系回路が異常状態時には従系回路に入れ替わることで、機器への電気的な安定性を維持しており、その装置の制御動作に基づき、一部分二重系動作または待機二重系動作になっている。
一部分二重系動作の踏切警報音発生装置３０は、特許文献１の従来技術として示された図４の回路構成を有している。この装置３０は、鉄道の踏切道に向けて設置された二個の外付けスピーカー３１，３２に接続されて警報音を発生するために、外部から与えられる二値論理の踏切条件Ａに応じて踏切警報用主信号Ｂを生成する音発信号生成回路３５と、電力増幅器３３と出力トランス３４を有して、踏切警報用主信号Ｂを電力増幅してスピーカー３１，３２の駆動線に送出する駆動回路３６と、個々に外付け接続しうる複数のスピーカー３１，３２を並列駆動すべく両スピーカーの各駆動線を装置内部で接続した並列接続部３７とを備えている。
【０００４】
音発信号生成回路３５は、踏切条件Ａのオン時に７５０Ｈｚの発振信号ｆ１を発生し、踏切条件Ａのオフ時に発振を停止する発振回路３８aと、踏切条件Ａのオン時に２Ｈｚ強の発信信号ｆｍを発生し、踏切条件Ａのオフ時に発振を停止する発振回路３８ｂと、踏切条件Ａのオン時に７００Ｈｚの発振信号ｆ２を発生し、踏切条件Ａのオフ時に発振を停止する発振回路３８ｃと、発信信号ｆ１を発信信号ｆｍで振幅変調する振幅変調回路４０と、発信信号ｆ２を発信信号ｆｍで振幅変調する振幅変調回路４１と、両回路４０，４１の出力信号を重ね合わせて踏切警報用主信号Ｂを生成する加算合成回路４２とを備えている。
そして、踏切条件Ａがオンの時には、踏切警報音を出させるため踏切警報用主信号Ｂに７５０Ｈｚと７００Ｈｚの発振状態を交互に２Ｈｚ強で採らせ、踏切条件Ａがオフの時には、踏切警報音を出させないため踏切警報用主信号Ｂに一定値を採らせるようになっている。
【０００５】
また、踏切警報用主信号Ｂが一定値を採っているときには、スピーカー３１，３２の駆動電圧が０Ｖになって警報音が発せられないが、踏切警報用主信号Ｂが発振状態を採っているときには、スピーカー３１，３２の駆動電圧が、例えば振幅２０Ｖｐ−ｐで正負に振れる正弦波形になって、踏切で馴染みの警報音がスピーカー３１，３２から発せられるようになっている。
並列接続部３７は、スピーカー３１，３２が故障しても、故障したのが片方だけなら、故障していない他方には警報音を出させることができる。
しかし、このような一部分二重系動作の踏切警報音発生装置３０では、スピーカー駆動時すなわち警報音発生時しか故障検出ができない。また、完全な待機二重系ではないので、装置の信頼性が劣る。
【０００６】
一方、主系動作と従系動作を行うものとして、上記特許文献１に示された、より高度な警報音発生装置が、図４，５に示す装置であり、この装置は、待機二重系動作になっている。
踏切警報音発生装置５０は、踏切条件Ａに応じて生成される踏切警報用主信号Ｂと検査用副信号Ｆとを混合して電力増幅し、スピーカー駆動線に送出する駆動回路５２と、スピーカー３１，３２と直列インピーダンスとの分割電圧から副信号検出信号Ｎを生成する電圧検出部５４と、信号Ｎに基づいて正常状態と断線故障と短絡故障とを分けて判定する判定部５６とを備えている。
【０００７】
そして、踏切条件Ａがオンになると、７５０Ｈｚと７００Ｈｚとが交互に２Ｈｚ強で代わる踏切警報音がスピーカー３１，３２から出力される。また、踏切条件Ａがオフになると静かになる。図４に示すように、踏切警報用主信号Ｂと検査用副信号Ｆを加算する加算合成回路５３を介して、合成信号Ｈを作り、増幅器５７とトランス５８で構成される駆動回路に合成信号Ｈを入力することにより、スピーカー３１，３２に警報音信号を送る。
【０００８】
また、電圧検出部５４は、信号トランス５９と信号増幅器６０とパルス乗算回路６１とレベル検出回路６２を備えており、パルス乗算回路６１では、検査用副信号Ｆの入力により、副信号検出信号Ｌと検査用副信号Ｆとから、半波の副信号検出信号Ｍを生成する。
さらに、レベル検出回路６２では、副信号検出信号Ｍからレベル付きの副信号検出信号Ｎを出力し、判定部５６において、スピーカー３１，３２との接続に係る正常状態と断線故障と短絡故障に分けて判定する。そして、故障通知回路６４により、外部に判定結果Ｐを出力するように構成されている。
【０００９】
上記踏切警報音発生装置５０に設けられた故障検出回路（図示略）は、例えば、図５に示す待機二重系の踏切警報音発生装置７０に利用されている。
図５において、この踏切警報音発生装置７０は、主系では、制御・監視回路７２、ＭＰ３回路７３、及びアンプ回路７４を有し、ＭＰ３回路７３は、デジタル音源再生回路であり、録音された警報音源が保存されるフラッシュメモリとして、ＳＤメモリ７５またはＵＳＢメモリ７６が接続されている。
また、従系では、アナログ発振回路７７とアンプ回路７８を備えており、主系の制御・監視回路７２を監視する。この主系からの監視信号に基づいて、主系からの警報音の発生がない場合に、従系のアナログ発振回路７９からアンプ回路８０を介して警報音信号を送り、主・従切替器８２の出力を切替て、従系からの警報音を発生させる。
【００１０】
また、主系の制御・監視回路７２からは、主・従切替器８２に制御信号が送られており、主系と従系の状態に応じて主・従切替器８２の切替え制御を行うと共に、主・従切替器８２の後段に設けられた故障検出回路８３にスピーカー線の断線・短絡検出信号を送るようになっている。
このため、主系動作の故障及び出力用のスピーカーの断線、短絡等による無音故障の検出を行い、主要部を待機二重系として、主系故障時も機能を維持できるようになっている。
【先行技術文献】
【特許文献】
【００１１】
【特許文献１】特開２０１０−８９６６６号公報
【発明の概要】
【発明が解決しようとする課題】
【００１２】
上記２つの装置では、警報音が発生しない場合に対するフェイルセーフ機能として、踏切警報音発生装置における警報音を二重に発振させる、または踏切警報用主信号Ｂと検査用副信号Ｆとを合成し、常にどちらかの警報音が鳴るという安全対策がなされている。
しかし、これらの装置では、どちらか一方が常に警報音が鳴り、主系が警報音を発生しない場合にのみ、従系からの監視信号により、警報音を発生させるものであった。
このため、主系が壊れる前に、通常時に停止状態で作動しない従系が壊れると、主系の代わりに従系を作動させて、警報音を生じさせることができなくなってしまう。
また、一方を常時作動させるため、主系と従系の電気的負荷がアンバランスであり、正常であれば、常に主系のみが動作しており、従系は、長い間、停止状態のままに保たれている。このため、主系の安定動作の維持、及び従系の長期停止後にいきなり作動させることの不具合等が生じる場合がある。さらに、待機状態にある従系の保守監視においても別途、複雑な回路を必要とし、作動の立ち上がり、及び迅速な切替動作にも問題点が発生する。
【００１３】
このように、一部分二重系動作または待機二重系動作の警報音発生装置の問題点に鑑みて、本発明は、一対の同一構成でなる警報音発生回路を用いて、起動信号が発生するたびに、主系動作と従系動作を順次交番させ、警報音の発生と自己診断および相手側の監視を行う二系統交番形の踏切警報音発生装置を提供することを目的としている。
【課題を解決するための手段】
【００１４】
上記課題を解決するために、本発明は、踏切警報機に取り付けられるスピーカーに接続されて、警報音を発生させる踏切警報音発生装置であって、電源部、アンプ部、音源制御部、及び出力トランスを有する同一回路構成の二系統の警報音発生回路を含み、該警報音発生回路は、起動信号が入力すると、起動毎に一方の警報音発生回路が音出力し、他方の警報音発生回路が監視動作を行うように、前記音源制御部の各々にＣＰＵと、前記音源制御部の主従関係を定めるスイッチとが設けられ、前記出力トランスは、それぞれ、一次側を前記アンプの出力に接続し、二次側を一対のスピーカーに並列接続するとともに、前記出力トランスの一次側の入力信号を対応する前記音源制御部にフィードバックさせ、
前記二系統の警報音発生回路は、前記起動信号が入力する毎に、順次交番して前記主系動作と前記従系動作に切り替わることを特徴としている。
【００１５】
本発明の実施形態では、前記警報音を発生させる一方の前記警報音発生回路は、主系動作として、起動系のＣＰＵがメモリのカウント値に基づき、アンプ動作を有効にして警報音を発生させ、監視動作を行う他方の前記警報音発生回路は、従系動作として、非起動系のＣＰＵが一方の音源制御部からの警報音の発生状態を監視していることを特徴としている。
【００１６】
本発明の好ましい形態では、前記起動系のＣＰＵは、前記メモリのカウント値が奇数のとき、アンプ動作を有効にして警報音を発生させ、前記カウント値が偶数のとき、警報音を発生することなく、自らは他系の監視動作を行う。
前記監視動作は、前記二系統の各ＣＰＵ間に接続された線路を介して供給されるＬＮＫ信号による他系の異常状態信号と、前記出力トランスのそれぞれの一次側からのフィードバックされる警報音信号とを前記非起動系のＣＰＵが計測し、警報音が出力されているか否かの２つの状態を常時検出することを特徴とする。
【００１７】
また、前記主系動作の警報音発生回路は、警報音を発生させるモードにおいて、音源制御部が、常時、自らの警報音出力のフィードバック信号を監視し、出力異常と判断した場合に、自らの警報音を停止して無効化する自己診断機能を有している。
さらに、前記従系動作の警報音発生回路は、起動後に、前記主系動作の警報音発生回路からの警報音が検出された場合に、監視動作を継続し、警報音信号が一定値以下又は検出されない場合に、自ら警報音を発生させるモードに移行し、警報音を出力することを特徴とする。
【００１８】
本発明の他の形態によれば、電源部、アンプ部、音源制御部、及び出力トランスを有する同一回路構成の二系統の警報音発生回路を含み、前記２つの出力トランスに対して並列接続されたスピーカーを介して踏切警報音を発生させるための制御方法であって、
起動信号が入力すると、予め決められた主系と従系を選択するスイッチの作動状態に基づいて、各系統の音源制御部に設けたＣＰＵにより、起動系の警報音発生回路と非起動系の警報音発生回路を順次交番させ、起動毎に一方の警報音発生回路が音出力し、他方の警報音発生回路が監視動作を行う工程と、前記ＣＰＵの制御により、一方を起動系の警報音発生回路に、他方を非起動系の警報音発生回路に選択する工程と、非起動系のＣＰＵにより、前記二系統の各ＣＰＵ間に接続された線路を介して供給されるＬＮＫ信号による他系の異常状態信号と、前記各アンプ部から出力された前記出力トランスの一次側からのフィードバック信号による警報音信号とを計測し、警報音の発生を常時チェックする工程と、前記警報音が検知された場合、非起動系の警報音発生回路は、監視動作を続行する工程と、前記警報音が一定以下または検知されない場合、非起動系の警報音発生回路が警報音を発生させるモードに移行し、警報音を出力する工程とを含むことを特徴とする。
【発明の効果】
【００１９】
本発明によれば、警報音発生回路を、電源部、アンプ部、音源制御部、及び出力トランスを含む一対の同一回路構成で形成したので、回路構成を単純化し、回路素子の安定性及び信頼性を確保するとともに、コストを低減することができる。
また、一対の警報音発生回路は、起動信号の入力に従って順次交番するので、起動系と非起動系をバランス良く作動させて、回路の寿命を向上させることができ、絶えず、自己診断機能と、監視機能を維持して、警報音発生装置のフェイルセーフ機能を実現できる。
【図面の簡単な説明】
【００２０】
【図１】本発明に係る踏切警報音発生装置の基本構成を示すブロック図である。
【図２】本発明に係る図１における踏切警報音発生装置の警報音の動作状態を示すためのより詳細な回路構成図である。
【図３】従来例の踏切警報音発生装置の概略構成図である。
【図４】上記従来例の動作説明のための詳細図である。
【図５】他の従来例における待機二重系の踏切警報音発生装置の回路構成図である。
【発明を実施するための形態】
【００２１】
以下に、図面を参照して、本発明に係る踏切警報音発生装置１について説明する。
図１は、警報機（図示略）に取り付けられるスピーカーＳＰ１、ＳＰ２に接続される本発明の踏切警報音発生装置１の基本構成図であり、一対の同一構成でなる警報音発生回路２が対称に配置されている。
【００２２】
踏切警報音発生装置１は、第１系と第２系に分割され、一対の警報音発生回路２、２は、それぞれ、電源部３、アンプ部４、音源制御部５、および出力トランス６によって構成される。
電源部３は、警報音を発生させるための起動信号Ｐの入力に基づき、回路への電力供給を行う。音源制御部５は、ＣＰＵと、初期設定でオンオフ動作を決定できるように、音源制御部５の主従関係（マスター／スレーブ）を定めるスイッチＳ１、Ｓ２を設けている。
【００２３】
アンプ部４は、電源部３から信号を増幅し、音源制御部５のＣＰＵの指令により出力トランスへの警報音信号を出力する。
出力トランス６、６は、それぞれ、一次側をアンプ部４、４の出力に接続し、二次側を一対のスピーカーＳＰ１、ＳＰ２に並列接続するとともに、出力トランス６、６の一次側の入力信号（警報音信号）を、対応する音源制御部５、５にフィードバックさせる。
スイッチＳ（Ｓ１、Ｓ２）は、予め機器の出荷時に互いに相反するＯＮ／ＯＦＦ動作の設定を決定する初期設定のスイッチであり、このスイッチがＯＮになっている系統（起動系ＣＰＵ）が起動時の交番選択処理を担う。
【００２４】
音源制御部５の各々は、ＣＰＵに不揮発性メモリを内蔵し、起動信号Ｐが入力される毎、起動系ＣＰＵが内部不揮発性メモリに記憶している起動カウント値を読み出し、カウントアップした上でデータの書き換えを行う。
各ＣＰＵは、一対の警報音発生回路２、２の両方に起動信号Ｐが入力すると、第１系と第２系のいずれが、マスター／スレーブのスイッチＳ１、Ｓ２に設定されているかを確認する。起動系ＣＰＵは、カウント値が奇数のときアンプ動作を有効にして即時警報音を発生させる。一方、カウント値が偶数のときは、警報音を発生させず、自らは他系の監視動作に入る。
【００２５】
監視動作処理は、２つの信号によって処理される。即ち、音源制御部同士が接続された線路から相互にＬＮＫ信号が送られ、また、アンプ部４から出力される警報音信号が音源制御部５にフィードバック信号（ＦＢ１、ＦＢ２）として送られる。
【００２６】
上記ＬＮＫ信号は、他系の異常状態を知らせる異常状態信号であり、フィードバック信号（ＦＢ１、ＦＢ２）は、アンプ部４からの警報音信号であり、これら２つの状態信号を計測し、常時チェックすることによって、一方の起動系の警報音発生回路２が正常であるか否かを監視することができる。
【００２７】
本発明の踏切警報音発生装置１では、電車が踏切を通過する際に前もって予告するための警報音を発生させる起動信号Ｐが、各系統の電源に同時に入力するようになっている。
したがって、踏切警報音発生装置１は、起動信号Ｐが各警報音発生回路２に入力すると、１系及び２系の電源３、３を起動させる。このとき、音源制御部５,５に接続されたスイッチＳ１、Ｓ２の動作により、たとえば、第１系統の警報音発生回路２が主動作（マスター）で、第２系統の警報音発生回路２が従動作（スレーブ）であると設定される。
【００２８】
第１系統の警報音発生回路２は、１系の電源３の起動により、音源制御部５に信号が入力し、スイッチの主従関係の定めによってマスターであることを確認すると、アンプ部（ＡＭＰ１）４から警報音信号が出力される。この出力された警報音信号を出力トランス６へ入力させるとともに、１系の音源制御部（ＣＰＵ１）５にフィードバック信号としてＦＢ１信号が入力する。
【００２９】
一方、第２系統の警報音発生回路２は、起動信号Ｐが入力した２系の電源３の入力に基づいてアンプ部（ＡＭＰ２）４から警報音信号を出力しようとする。しかし、スイッチＳ２によって従動作に設定されているので、非駆動系のため警報音信号は出力されない。
そして、次の起動信号Ｐが第２系の電源３に入力した場合、スイッチＳ１、Ｓ２の主従関係が逆転して、警報音信号を２系の音源制御部（ＣＰＵ２）５の指令により、アンプ（ＡＭＰ２）４から警報音信号を出力する。そして、この警報音信号の出力に基づいて、音源制御部５にフィードバックするＦＢ２信号が入力する。また、音源制御部５,５同士は、線路を介して接続され、ＬＮＫ信号（ＬＮＫ）がやり取りされる。
【００３０】
即ち、第２系統（非起動系）の警報音発生回路２は、起動後しばらく待った後、上述した監視動作を行い、第１系統（起動系）の警報音発生回路２からのＬＮＫ信号により、警報音が正常に検出された場合は、引き続き監視動作を周期的に継続する。そして、警報音信号が一定以下または、検出されない場合は、警報音を発生させるモードに移行し、警報音を出力する動作に切り替わる。
その他、警報音を発生している系統でも自己診断機能として、常時自らのフィードバック信号を監視し、出力異常が認められると、自らの警報音を強制停止（無効化）し、ＬＮＫ信号から異常を監視側に通知することで、音出力系統の切替を行うことができるようになっている。
【００３１】
図２は、本発明の踏切警報音発生装置１のより具体的な回路構成例が示されている。
警報音発生回路２は、１系と２系が同一の対称回路構成であり、電源回路１０、増幅回路１１、発振制御回路１２、及び出力トランスＴ１（Ｔ２）を備えている。発振制御回路１２の設定条件を決定するために、音量スイッチ１４、減音量スイッチ１５、タイマー１６の各種の調整スイッチがある。
【００３２】
これらのスイッチは、警報機において、スピーカーＳＰ１、ＳＰ２から発生する警報音の音の大きさ、時間、また、遮断器の遮断杆の降下に合わせて、警報音の減音量の調整、さらに、設定した減音量に音量を低下させるまでの時間の設定等を行うことができる。
また、発振制御回路１２が正常に動作しているか否かを知らせるための動作ランプ１７（緑）と異常ランプ１８（赤）が、各発振制御回路１２に接続され、本装置の外部パネルに取り付けられている。その他に、電源への突入電流抑止・保護回路２０を備えている。
【００３３】
次に、本発明の上記警報音発生装置１において、警報音の発生させるための制御方法の手順を説明する。
本発明の警報音発生装置１は、一対の警報音発生回路２の音源制御部５に設けたＣＰＵ及び初期設定されたスイッチＳのオンオフ動作に基づき、起動信号Ｐの入力毎に警報音発生回路２が順次交番するように、シーケンスが作動する。
【００３４】
この警報音発生回路２は、スイッチＳ１、Ｓ２の設定によって警報音を発生させる起動系（主系動作）と非起動系（従系動作）のいずれかに選択される。
即ち、第１系の警報音発生回路２のスイッチＳ１が、初期設定でＯＮ動作にされている場合、第１系は、マスターであり、主系動作を行うために起動系ＣＰＵ１により警報音を発生させるように動作する。
【００３５】
ここで、スイッチＳ１がマスターの場合、音源制御部５において、ＣＰＵの判断処理により他系の状態を確認する。即ち、他系の警報音発生回路２が発音状態であるか否かを判断する。
ＣＰＵのメモリにあるカウンタ値を読み出し、その数値が奇数であるか偶数であるかによって、自系が起動系であるとして、主系動作を行い、他系は監視中であると判断する。
したがって、主系動作の１系のＣＰＵは、メモリのカウンタ値が奇数であると、発音モードとなり、アンプ４を有効にして、警報音を発生させる。また、メモリのカウンタ値が偶数であると、１系が監視モードとなる。
【００３６】
一方、スイッチＳ２がスレーブ動作であると、２系のＣＰＵは、待機状態を指示し、１系を監視する動作を行い、発音モードで１系のアンプ部４から警報信号が出力されていることを確認する。
また、次の起動信号が入力した場合、１系のＣＰＵは、メモリのカウント値が奇数から偶数に切り替わるため、今度は、アンプ部４から警報音信号を出力しない。
そして、上記起動信号Ｐが入力する毎に、ＣＰＵのメモリのカウント値の奇遇により、２つの警報音発生回路を順次交番させて制御する。
【００３７】
こうして、本発明の警報音発生装置１は、同一回路構成の警報音発生回路を２系統内蔵し、起動信号Ｐの入力毎に順次交番でどちらか１系統が音出力を行い、他系統が監視動作を行うように制御される。
なお、本発明の警報音発生回路を用いて、警報音を発生させるための構成は、種々の方式を用いることができ、ここでは、ＣＰＵを用いてソフトウエアで動作させるものを例に挙げたが、電子発振回路等によってハードウエアで動作させるものも考えられる。
【００３８】
このようにして、本発明の踏切警報音を発生させる制御方法は、起動信号が入力すると、予め決められた主系と従系を選択するスイッチＳ１,Ｓ２の作動状態に基づいて、各系統の音源制御部５に設けたＣＰＵにより、起動系の警報音発生回路２と非起動系の警報音発生回路２を順次交番させ、起動毎に一方の警報音発生回路２が音出力し、他方の警報音発生回路２が監視動作を行う。
そして、ＣＰＵの制御により、一方を起動系の警報音発生回路２に、他方を非起動系の警報音発生回路２に選択して、各アンプ部４から出力された出力トランス６の一次側からのフィードバック信号ＦＢ１、ＦＢ２による警報音の発生を常時チェックし、また、警報音が検知された場合、非起動系の警報音発生回路２は、監視動作を続行し続け、警報音が一定以下または検知されない場合、非起動系の警報音発生回路２が警報音を発生させるモードに移行し、警報音を出力するステップを含んでいる。
【００３９】
したがって、本発明によれば、同一の回路構成を対称に配置した一対の警報音発生回路において、音源制御部に設けたＣＰＵにより、起動系の警報音発生回路と非起動系の警報音発生回路を順次交番させ、前記ＣＰＵの制御により、起動毎にどちらか一方の警報音発生回路が音出力し、他方の警報音発生回路が監視動作を行うことができる。
また、起動系の警報音発生回路で警報音が検知された場合、非起動系の警報音発生回路は、監視動作を続行し、前記警報音が一定以下または検知されない場合、非起動系の警報音発生回路が警報音を発生させるモードに移行させることができる。
【００４０】
また、本発明は、交番待機二重系の踏切警報音発生装置を構成し、起動信号が入力する毎に、二系統の警報音発生回路が交互に交番して主系動作と従系動作に切り替わるので、機器への電気的負荷が均質化し、機器の寿命を向上させることができ、さらに、主従動作が頻繁に入れ替わるため、一方の系統の故障を早期に発見でき、その間、他方の系統が代行動作するために信頼性を高めることができる。
【符号の説明】
【００４１】
１：警報音発生装置、２：警報音発生回路、３：電源部、４：アンプ部、５：音源制御部、６：出力トランス、１０：電源回路、１１：増幅回路、１２：発振制御回路、１４〜１６：スイッチ、１７,１８：ランプ、
【図１】
0005370689.tif 000002
【図２】
0005370689.tif 000003
【図３】
0005370689.tif 000004
【図４】
0005370689.tif 000005
【図５】
0005370689.tif 000006